(57)【要約】【課題】  贈り主の思いを贈り先に確実に伝えることにより贈り物としての価値を高めることができる電子カタログギフト作成方法を提供する。  【解決手段】  贈り主端末４に接続されたサーバ１において電子カタログギフトを作成する方法であって、贈り主端末４から受信した掲載商品選択情報に基づいて、商品ＤＢ１１から複数の商品情報を選択する掲載商品選択ステップと、贈り主端末４から受信したリコメンド商品選択情報に基づいて、選択された複数の商品情報の一部にリコメンド情報を関連付けるリコメンド商品選択ステップと、選択された複数の商品情報に含まれる商品画像情報を商品ＤＢから抽出し、リコメンド情報が関連付けられた商品情報に対応する商品画像情報にリコメンド画像情報を付加して電子カタログギフトを作成するカタログ作成ステップとを備える。  【選択図】  図１
2007011524.tif 000002
【特許請求の範囲】
【請求項１】
贈り主端末に接続されたサーバにおいて電子カタログギフトを作成する方法であって、
贈り主端末から受信した掲載商品選択情報に基づいて、商品情報データベースから複数の商品情報を選択する掲載商品選択ステップと、
贈り主端末から受信したリコメンド商品選択情報に基づいて、選択された複数の前記商品情報の一部にリコメンド情報を関連付けるリコメンド商品選択ステップと、
選択された複数の前記商品情報に含まれる商品画像情報を前記商品情報データベースから抽出し、前記リコメンド情報が関連付けられた前記商品情報に対応する前記商品画像情報にリコメンド画像情報を付加して電子カタログギフトを作成するカタログ作成ステップとを備える電子カタログギフト作成方法。
【発明の詳細な説明】
【技術分野】
【０００１】
本発明は、電子カタログギフト作成方法に関する。
【背景技術】
【０００２】
贈り主が予算などに応じてカタログを選択し、カタログに記載された複数の商品から贈り先が好みのものを選択することができるカタログギフトが、従来から存在する。最近では、このようなカタログギフトの作成や閲覧を、インターネット等のネットワークを介して行うことができる電子カタログギフトも知られている。
【０００３】
例えば、特許文献１には、贈り主が予算や贈り物のテーマ等に応じて選択した複数の商品に基づいて電子カタログを作成する電子カタログ作成装置が開示されている。作成された電子カタログは、電子メールの添付データとして贈り先の端末に送られるか、或いは、電子メールに記載されたウェブページのＵＲＬに基づく贈り先からのアクセスにより閲覧可能となる。
【特許文献１】特開２００２−１７５４７５号公報
【発明の開示】
【発明が解決しようとする課題】
【０００４】
上記特許文献１に記載された電子カタログ作成装置は、贈り主の個性等に応じて独自の電子カタログギフトを作成することができるが、従来の電子カタログギフトは単に商品が整然と並んでいるだけであるため、これを閲覧する贈り先には、選択された商品に込められた贈り主の気持ちが十分伝わりにくいという問題があった。
【０００５】
そこで、本発明は、贈り主の思いを贈り先に確実に伝えることにより贈り物としての価値を高めることができる電子カタログギフト作成方法の提供を目的とする。
【課題を解決するための手段】
【０００６】
本発明の前記目的は、贈り主端末に接続されたサーバにおいて電子カタログギフトを作成する方法であって、贈り主端末から受信した掲載商品選択情報に基づいて、商品情報データベースから複数の商品情報を選択する掲載商品選択ステップと、贈り主端末から受信したリコメンド商品選択情報に基づいて、選択された複数の前記商品情報の一部にリコメンド情報を関連付けるリコメンド商品選択ステップと、選択された複数の前記商品情報に含まれる商品画像情報を前記商品情報データベースから抽出し、前記リコメンド情報が関連付けられた前記商品情報に対応する前記商品画像情報にリコメンド画像情報を付加して電子カタログギフトを作成するカタログ作成ステップとを備える電子カタログギフト作成方法により達成される。
【発明の効果】
【０００７】
本発明によれば、贈り主の思いを贈り先に確実に伝えることにより贈り物としての価値を高めることができる電子カタログギフト作成方法を提供することができる。
【発明を実施するための最良の形態】
【０００８】
以下、本発明の実態形態について添付図面を参照して説明する。図１は、本発明の一実施形態にかかる電子カタログギフト作成方法を実施するサーバ（以下、単に「サーバ」という）の概略構成を示すブロック図である。
【０００９】
サーバ１は、ウェブサーバであり、インターネット等のネットワーク２を介して贈り主端末４及び贈り先端末６に接続されている。贈り主端末４及び贈り先端末６は、いずれもウェブページの閲覧機能および電子メールの送受信機能を備えている。
【００１０】
サーバ１は、商品情報データベース（商品ＤＢ）１１、贈り主情報データベース（贈り主ＤＢ）１２、贈り先情報データベース（贈り先ＤＢ）１３、注文情報データベース（注文ＤＢ）１４、リコメンド情報データベース（リコメンドＤＢ）１５、及び電子カタログギフト情報データベース（カタログＤＢ）１６を備えている。
【００１１】
商品ＤＢ１１には、電子カタログギフトに掲載可能な商品の商品コード、商品名、画像情報、説明情報などの商品情報が格納される。贈り主ＤＢ１２には、電子カタログギフトの贈り者の氏名、住所、電話番号、電子メールアドレスなどの贈り主情報が格納される。贈り先ＤＢ１３には、電子カタログギフトを受領する贈り先の氏名、住所、電話番号、電子メールアドレスなどの贈り先情報が格納される。注文ＤＢ１４には、電子カタログギフトの贈り主からの注文コード、注文日時、注文内容（例えば、贈り主、贈り先、コース（予算）、決済方法）、贈り先からの注文状況などの注文情報が格納される。リコメンドＤＢ１５には、電子カタログギフトにおいて贈り主のおすすめ商品を表示するためのリコメンド画像情報が格納される。カタログＤＢ１６には、電子カタログギフトに掲載される商品の商品コードや、おすすめ商品であることを表すリコメンド情報などのカタログ情報が格納される。
【００１２】
次に、上述したサーバ１における電子カタログギフトの作成処理を、図２に示すフローチャートを適宜参照しながら説明する。贈り主端末４からサーバ１のウェブページにアクセスがあると、サーバ１は、贈り主端末４側での入力操作に基づいて、贈り主端末４に電子カタログギフトの注文画面を表示する（ステップＳ１）。
【００１３】
注文画面においては、贈り主及び贈り先の氏名、住所、電子メールアドレスなどの他に、注文する電子カタログギフトの予算や決済方法などが、所定のフォーマットにより入力可能となっている。贈り主が贈り主端末４においてこれらの事項を入力して送信すると、サーバ１において、各種情報が贈り主ＤＢ１２、贈り先ＤＢ１３及び注文ＤＢ１４にそれぞれ格納される。
【００１４】
こうして、電子カタログギフトの予算が決定されると、サーバ１は、予算に合った複数の商品情報を商品ＤＢ１１から抽出し、商品毎に商品名、商品説明、商品画像などが表示される商品選択画面を贈り主端末４に画面表示する（ステップＳ２）。本実施形態においては、図３に示すように、商品情報が複数のカテゴリー（例えば、「ファッション＆アクセサリー」、「インテリア」、「キッチン＆テーブルウェア」、「トーイ＆ホビー」、「スポーツ＆アウトドア」、「グルメ」など）に分類されており、カテゴリー毎に商品の一覧が表示される。
【００１５】
図３に示す商品選択画面においては、電子カタログギフトへの掲載を希望する商品を選択するための掲載商品チェック欄Ｃ１の他に、贈り主からのおすすめ商品を選択するためのリコメンド商品チェック欄Ｃ２が表示されており、初期段階では、リコメンド商品チェック欄Ｃ２は全て淡色表示となっている。贈り主は、所定数の商品を選択して対応する掲載商品チェック欄Ｃ１をクリックし、チェックマークを入力する。サーバ１は、これを受けて、チェックマークが入力された商品に対応するリコメンド商品チェック欄Ｃ２を淡色表示から通常の表示に切り替え、選択された商品に対応するリコメンド商品チェック欄Ｃ２のみをチェック可能にする。こうして、贈り主端末４において掲載商品の選択が行われる。
【００１６】
続いて、贈り主は、贈り主端末４において、選択した商品の中から１番のお勧め商品を選択し、リコメンド商品チェック欄Ｃ２に入力することにより、リコメンド商品の選択を行う。こうして、カテゴリー毎に掲載商品チェック欄Ｃ１及びリコメンド商品チェック欄Ｃ２の入力を行った後、送信ボタンをクリックすることにより、入力内容がサーバ１に送信される。尚、リコメンド商品チェック欄Ｃ２へのチェックは、１つだけでなく、複数選択できるようにしてもよい。また、掲載商品チェック欄Ｃ１及びリコメンド商品チェック欄Ｃ２は、必ずしも同じ画面に表示する必要はなく、商品を選択した後に別の画面でおすすめ商品を選択できるようにしてもよい。
【００１７】
贈り主端末４においては、この他に、電子カタログギフトに附属される音楽やメッセージなどを適宜選択、入力することができる。入力されたこれらの情報は、サーバ１に送信される。
【００１８】
サーバ１は、贈り主端末４からの入力を受けて、新規なカタログＩＤを発生させ、掲載商品チェック欄Ｃ１にチェックマークが入力された掲載商品の選択情報に基づいて、商品ＤＢ１１における複数の商品情報を選択する（ステップＳ３）。そして、選択された商品情報のうち、リコメンド商品チェック欄Ｃ２にチェックマークが入力された商品情報にリコメンド情報を関連付ける（ステップＳ４）。こうして、電子カタログギフトを作成するためのカタログ情報が生成される。このカタログ情報は、カタログＤＢ１６に格納される。
【００１９】
サーバ１は、決済処理を行った後、贈り主が指定した贈り先の電子メールアドレスに基づき、贈り先端末６に案内用の電子メールを送信する。この電子メールには、贈り主から贈り物が届いている旨と、サーバ１のウェブページへのアクセス先及びカタログＩＤを含むＵＲＬ（Uniform Resource Locator）や、アクセス用のパスワード、贈り先からのメッセージ等が記載される。贈り先端末６からこのＵＲＬにアクセスがあると、サーバ１は、贈り先端末６にアクセス用のパスワードの入力を促して認証を行った上で、カタログＤＢ１６を検索し、カタログＩＤに対応した電子カタログギフトを作成して贈り先端末６に表示する。尚、贈り先端末６からのアクセス認証は、アクセス用ＩＤの代わりに、贈り先端末６の電子メールアドレスを用いて行うことも可能である。
【００２０】
サーバ１は、カタログＤＢ１６に格納されたカタログ情報を検索してカタログＩＤに対応するカタログ情報を抽出し、当該カタログ情報に基づいて電子カタログギフトを作成する（ステップＳ５）。すなわち、カタログ情報に含まれる商品コードに対応した商品画像情報を商品ＤＢ１１から抽出して、図４に示すように、贈り先端末６にカテゴリー毎に商品画像情報を表示する。本実施形態においては、商品画像情報の表示と共に、商品名や商品説明など他の商品情報も併せて表示される。そして、サーバ１は、カタログ情報からリコメンド情報が関連付けられた商品コードを検索し、リコメンドＤＢ１５に格納されたリコメンド画像情報を、該当する商品コードに対応する商品画像情報に付加して、贈り先端末６に表示する。図４においては、商品「ウォッチ」の商品画像情報の近傍に、王冠のマークからなるリコメンド画像情報が付加されており、これによって、贈り先が贈り主のおすすめ商品を即座に認識することができる。リコメンド画像情報は、贈り主のおすすめ商品であることを表すものであれば特に限定されず、種々の形態が可能であり、贈り主からのおすすめ商品であることを示す文言や、おすすめ理由などのテキスト情報が付加されていてもよい。更に、贈り主端末４における電子カタログギフトの注文画面において、複数のリコメンド画像情報から贈り主が希望するものを選択可能に構成することもできる。贈り主が、電子カタログギフトの注文の際に、メッセージの入力や音楽の選択を行った場合には、図４に示す電子カタログギフトの表示画面においてメッセージを表示したり、贈り先端末６に音楽を配信することができる。
【００２１】
図４に示す電子カタログギフトの表示画面において、贈り先が希望する商品の商品画像情報をクリックすると、サーバ１は、これを受けて、図５に示すように、商品仕様などを示す商品の詳細説明画面を贈り先端末６に表示する。贈り先は、この詳細説明画面を閲覧してこの商品を希望する場合には、「注文する」ボタンをクリックする。サーバ１は、これに応じて贈り先からの注文が完了した旨を注文ＤＢ１４に格納すると共に、贈り先ＤＢ１３から贈り先の住所、電話番号などを抽出して、注文された商品情報と共に、発送処理サーバ（図示せず）に出力する。また、贈り主端末４には、贈り先端末６から商品の注文があった旨が通知される。この後、贈り先への希望商品の配送が行われる。
【００２２】
このように、本実施形態の電子カタログギフトの作成方法により作成された電子カタログギフトは、贈り先が選択した商品の商品画像情報が表示されるだけでなく、贈り主が選択したおすすめ商品がリコメンド画像情報として表示されるので、贈り先は、表示された画像を通じて電子カタログギフトに込められた贈り主の思いを把握することができる。この結果、電子カタログギフトの贈り物としての価値を高めることができる。
【００２３】
以上、本発明の一実施形態について詳述したが、贈り先端末６に対する電子カタログギフトへの案内は、本実施形態のように電子メールによる通知以外に、実際のカタログ等の紙媒体で行ってもよい。紙媒体には、カタログ情報に対応したカタログＩＤ及びパスワードを記載しておくことで、本実施形態と同様に電子カタログギフトを作成することができ、贈り主の思いを贈り先端末６に表示することができる。
【図面の簡単な説明】
【００２４】
【図１】本発明の一実施形態にかかる電子カタログギフト作成方法を実施するサーバの概略構成を示すブロック図である。
【図２】図１に示すサーバの処理手順を説明するためのフローチャートである。
【図３】図１に示す贈り主端末に表示される商品選択画面の一例を示す図である。
【図４】図１に示す贈り先端末に表示される電子カタログギフトの表示画面の一例を示す図である。
【図５】図１に示す贈り先端末に表示される商品の詳細説明画面の一例を示す図である。
【符号の説明】
【００２５】
１  サーバ
４  贈り主端末
６  贈り先端末
１１  商品ＤＢ
１２  贈り主ＤＢ
１３  贈り先ＤＢ
１４  注文ＤＢ
１５  リコメンドＤＢ
１６  カタログＤＢ  
【図１】
2007011524.tif 000003
【図２】
2007011524.tif 000004
【図３】
2007011524.tif 000005
【図４】
2007011524.tif 000006
【図５】
2007011524.tif 000007